【事件の表示】
　特許第２８２４２９５号「加飾シートで被覆された合成樹脂製品の成形方法及びその装置」の請求項１ないし４に係る特許に対する特許異議の申立てについて、次のとおり決定する。
【結論】
　特許第２８２４２９５号の請求項１ないし４に係る特許を維持する。
【理由】
１．本件の経緯
　本件特許第２８２４２９５号は、平成１年１１月２０日に出願し、平成１０年９月４日に設定登録され、同年１１月１１日に特許公報に掲載されたところ、平成１１年４月２０日に土井育郎から特許異議の申立を受けたものである。
２．本件発明
　本件発明は、本件明細書の特許請求の範囲の請求項１〜４に記載された次のものである。
【請求項１】キャビティを有した一方の金型部材と該キャビティに挿入されるコアーを有した他方の金型部材を開いて、一方の金型部材にシート材を固定するシート材固定工程と、前記シート材固定工程で固定されたシート材を加熱する加熱工程と、前記加熱工程で加熱されたシート材を一方の金型部材によって成形するシート材成形工程と、前記一方の金型部材のキャビティ内に前記他方の金型部材のコアーを挿入する際、該キャビティの開口縁と該コアーとによって前記シート材を打ち抜くと共に打ち抜かれたシート材をキャビティとコアーとによって形成された空隙内に固定する打ち抜き工程と、前記空隙内で合成樹脂を成形する成形工程とを具備してなることを特徴とする加飾シートで被覆された合成樹脂製品の成形方法。
【請求項２】前記加熱工程を、成形品を金型から取り出す取り出し工程と同時に行うことを特徴とする請求項（１）記載の加飾シートで被覆された合成樹脂製品の成形方法。
【請求項３】シート材を成形する成形手段を設けた一方の金型部材と、該キャビティ内に挿入するコアーを有した他方の金型部材とからなる金型と、前記一方の金型部材にシート材を固定する固定手段と、前記固定手段で固定されたシート材を加熱する加熱手段とを具備し、かつ前記一方の金型部材のキャビティの開口縁と該キャビティに挿入する前記他方の金型部材のコアーに前記シート材を打ち抜く刃部を設けて、キャビティ内にコアーを挿入する際に該刃部で前記シート材を打ち抜くと共に打ち抜かれたシート材を前記キャビティとコアーとによって形成された空隙内に固定するように構成したことを特徴とする加飾シートで被覆された合成樹脂製品の成形装置。
【請求項４】前記加熱手段を、成形品を金型から取り出す取り出し手段に設けたことを特徴とする請求項（３）記載の加飾シートで被覆された合成樹脂製品の成形装置。
３．特許異議申立人の主張
　特許異議申立人土井育郎は、甲第１号証（特公昭５０−１９１３２号公報）、甲第２号証（特開昭６０−２１２３１４号公報）、甲第３号証（特開昭６４−２６４２０号公報）を提出して、本件請求項１、３に係る発明は、本件出願前に頒布された刊行物である甲第１、２号証に記載された発明に基づいて当業者が容易に発明をすることができたものであり、本件請求項２、４に係る発明は、本件出願前に頒布された刊行物である甲第１〜３号証に記載された発明に基づいて当業者が容易に発明をすることができたものであるから、特許法第２９条第２項の規定により特許を受けることができないものである、旨の主張をしている。
４．特許異議申立人の主張についての検討
　甲第１号証には、「文字、図柄等を印刷した熱可塑性合成樹脂フィルム又はシートを射出成型用雌金型に印刷層が雌金型と反対側になるように固定する工程、上記フィルム又はシートを加熱軟化する工程、上記フィルム又はシートを上記雌金型内に真空吸引成形する工程、上記雌金型に雄金型を合体せしめる工程、上記雌雄両金型内に溶融合成樹脂を圧入して射出成形手段により上記成型されたフィルム又はシートと一体成形し、かつ上記印刷層をフィルム又はシートと上記溶融合成樹脂との間に埋設する工程の各工程を包含してなる絵付合成樹脂成形品の製造方法。」（特許請求の範囲）が記載されているものの、これは、その成形工程においてシート材を打ち抜くものではないから、成形工程でシート材を打ち抜く本件請求項１〜４に係る発明と関係がない。
　甲第２号証には、「絵付シートが雌型の開口部を覆いつつ走行するよう設置された絵付シートの巻出し及び巻取りロールと、前記絵付シートの絵柄の一ピッチ分だけシートの上流側から雌型上まで移動可能であり、通気孔を有する加熱板と、この加熱板と共に絵付シートを挟持して加熱板と共に移動する枠部材と、前記加熱板と枠部材を一体的に絵付シートの走行方向およびこれに直角な方向に移動せしめるための移動装置と、前記加熱板と枠部材とを一体に絵柄の一ピッチ分だけ往復動させる搬送装置と、前記加熱板あるいは枠部材の少なくとも一方に取付けられ、前記絵付シートに予め絵柄のピッチ毎に形成された絵付シートの走行方向およびこれに直角な方向の位置決め用マークを読み取るための検出器とを有し、前記移動装置の作動によりこの検出器が前記両方向の位置決め用マークを読み取ると、この読取信号により前記移動装置が停止し、この位置で前記加熱板と枠部材が絵付シートをクランプし、このクランプ後に前記加熱板と枠部材は基準位置に戻り、次いで加熱板と枠部材は前記搬送装置の作用により両金型間に送り込まれ、射出成形前に雌型の成形面に絵付シートを真空付着させた後、この雌型と雄型とを組合わせて溶融樹脂を雄型側から射出することにより前記絵付シートと射出樹脂とを一体化させる絵付用射出成形金型装置において、前記雌型の開口部周縁及び型締め時に該開口部周縁に当接する雄型の一部に絵付シートを切断するためのトリミング用刃部を設けたことを特徴とする絵付用射出成形金型装置。」（特許請求の範囲第１項）が記載されており、雌型の開口部周縁及び型締め時に開口部周縁に当接する雄型の一部に絵付シートを切断するためのトリミング用刃部を設けて、シート材を打ち抜くことは記載されているものの、打ち抜かれたシート材をキャビティとコアーとによって形成された空隙内に固定することについては記載するところはなく、甲第２号証には、本件請求項１、２に係る発明の構成に欠くことができない事項である（Ａ）「キャビティの開口縁とコアーとによってシート材を打ち抜くと共に打ち抜かれたシート材をキャビティとコアーとによって形成された空隙内に固定する打ち抜き工程」、また、本件請求項３、４に係る発明の構成に欠くことができない事項である（Ｂ）「一方の金型部材のキャビティの開口縁と該キャビティに挿入する他方の金型部材のコアーにシート材を打ち抜く刃部を設けて、キャビティ内にコアーを挿入する際に該刃部で前記シート材を打ち抜くと共に打ち抜かれたシート材を前記キャビティとコアーとによって形成された空隙内に固定すること」について記載するところはない。
　そして、甲第３号証には、アームの先端に成形品取り出し機構と加熱機構とを背向的に有する加熱取り出し兼用手段が記載されているにすぎない。
　そうすると、結局、甲第１〜３号証には、本件請求項１〜４に係る発明の構成に欠くことができない事項である上記（Ａ）または（Ｂ）の事項は示されていない。
　そして、本件請求項１〜４に係る発明は上記（Ａ）または（Ｂ）の事項を構成要件とすることにより、合成樹脂成形加工後にシート材の周縁が合成樹脂製品から突出することがなく、シート材が成形品表面の所定位置に正確に被覆されるという効果を奏することは本件明細書の記載からみて明らかである。
　してみると、本件請求項１、３に係る発明は、甲第１、２号証に記載された発明に基づいて当業者が容易に発明をすることができたものとは認められないし、また、本件請求項２、４に係る発明は、甲第１〜３号証に記載された発明に基づいて当業者が容易に発明をすることができたものとは認められないから、特許異議申立人の主張は理由がない。
５．むすび
　以上のとおりであるから、特許異議申立の理由及び証拠によっては、本件請求項１〜４に係る特許を取り消すことはできない。
　また、他に本件請求項１〜４に係る特許を取り消すべき理由を発見しない。
　よって、結論のとおり決定する。
【異議決定日】
平成１１年８月２６日（１９９９．８．２６）